(57)【要約】【課題】記録した画像の再生時に視覚，聴覚以外に、さらに臨場感の再現が可能なデジタルカメラ装置等を提供する。【解決手段】撮影した画像データを再生可能なデジタルカメラ装置において、撮影モード時の画像データを記憶しておく画像データ記録手段（半導体メモリ２５）と、撮影モード時の撮影状況情報を記憶する撮影状況情報記憶手段（図示せず）と、　香料を保持する香料保持手段（第１，第２の香料タンク３２ａ，３２ｂ）と、前記撮影モードで撮影した画像データの再生時に、前記撮影状況情報記憶手段に記憶した撮影状況情報に基づいて香料を放出する香料放出制御手段（香料放出制御部３１）とを備えた構成としてある。【選択図】　　図１
2004040610.tif 000002
【特許請求の範囲】
【請求項１】
撮影した画像データを再生可能なデジタルカメラ装置において、
撮影モード時の画像データを記憶しておく画像データ記録手段と、
撮影モード時の撮影状況情報を記憶する撮影状況情報記憶手段と、
香料を保持する香料保持手段と、
前記撮影モードで撮影した画像データの再生時に、前記撮影状況情報記憶手段に記憶した撮影状況情報に基づいて香料を放出する香料放出制御手段と
を備えたことを特徴とするデジタルカメラ装置。
【請求項２】
請求項１記載のデジタルカメラ装置において、
前記香料保持手段は、複数の異なった香りの香料を保持することを特徴とするデジタルカメラ装置。
【請求項３】
請求項２記載のデジタルカメラ装置において、
前記香料放出制御手段は、複数の異なった香りの香料を同時に放出可能であることを特徴とするデジタルカメラ装置。
【請求項４】
請求項１〜請求項３のいずれか一つに記載のデジタルカメラ装置において、
前記香料保持手段は、交換が可能であることを特徴とするデジタルカメラ装置。
【請求項５】
請求項１〜請求項４のいずれか一つに記載のデジタルカメラ装置において、
前記画像データの記録時に、前記撮影状況情報に基づいて画像補正処理を行うことを特徴とするデジタルカメラ装置。
【請求項６】
請求項１〜請求項５のいずれか一つに記載のデジタルカメラ装置において、
前記撮影状況情報を、画像データ中に記録することを特徴とするデジタルカメラ装置。
【請求項７】
請求項１〜請求項６のいずれか一つに記載のデジタルカメラ装置によって記録された画像データを表示可能な画像表示装置であって、
該画像表示装置は、複数の香料を保持する香料保持手段と、
前記画像データの再生時に、前記撮影状況情報に基づいて選択された香料を放出する香料放出制御手段と、
を備えたことを特徴とする画像表示装置。
【請求項８】
請求項７記載の画像表示装置において、
前記香料保持手段は、交換が可能であることを特徴とする画像表示装置。
【請求項９】
請求項７または請求項８記載の画像表示装置を搭載することを特徴とする携帯情報端末装置。
【発明の詳細な説明】
【０００１】
【発明の属する技術分野】
本発明は、デジタルカメラ装置および画像表示装置および携帯情報端末装置に関し、特に、記録した画像の再生時に視覚，聴覚以外に、さらに臨場感の再現が可能なデジタルカメラ装置および画像表示装置および携帯情報端末装置に関する。
【０００２】
【従来の技術】
近年、デジタルカメラ装置の普及が目覚しい。ここに、デジタルカメラ装置とは、銀塩フィルムの代わりにＣＣＤ（電荷結合素子）等の撮像素子を用いて、画像を電気信号に変換し、そのデータをデジタル化して記録するカメラをいう。
このデジタルカメラ装置の利点として、パソコン，インターネット等を介して撮影した画像を送信可能な点、および撮影した画像をその場で再生し、確認できる点を挙げることができる。
また、近年では音声や動画についても記録再生が可能になってきており、多彩な楽しみ方ができるようになってきている。
【０００３】
【発明が解決しようとする課題】
しかしながら、従来のデジタルカメラ装置は、通常、人間の五感のうち、視覚と聴覚しか用いておらず、撮影状況の再現を体験するのには、充分とは言えない。
ところで、ディスプレイに表示された画像に応じた香りを放出する画像表示装置は公知であり、例えば特開２０００−６４４３号公報等がある。同公報では、少なくとも色の３原色に対応した芳香剤を、ディスプレイに表示する画像の色強度に比例して放出させている。しかし、この方法では、たとえ同じ場所で撮影した画像であっても、少しでも構図が異なれば芳香は違ってしまうことになり（画像の色強度が異なるので）、撮影状況を再現（臨場感の再現）するという意味では物足りない。
【０００４】
本発明は、前記の事情にかんがみなされたもので、記録した画像の再生時に視覚，聴覚以外に、さらに臨場感の再現が可能なデジタルカメラ装置および画像表示装置および携帯情報端末装置の提供を目的とする。
【０００５】
【課題を解決するための手段】
上記目的を達成するため請求項１記載の発明は、撮影した画像データを再生可能なデジタルカメラ装置において、
撮影モード時の画像データを記憶しておく画像データ記録手段（図２の半導体メモリ２５または図示省略のメモリカード）と、
撮影モード時の撮影状況情報を記憶する撮影状況情報記憶手段（図示せず）と、
香料を保持する香料保持手段（図３の第１，第２の香料タンク３２ａ，３２ｂ）と、
前記撮影モードで撮影した画像データの再生時に、前記撮影状況情報記憶手段に記憶した撮影状況情報に基づいて香料を放出する香料放出制御手段（図３の香料放出制御部３１）とを備えた構成としてある。
【０００６】
このようにすれば、被写体を撮影し、画像データ記憶手段に記憶し、被写体を「森」で撮影した等の撮影状況の情報を、撮影状況情報記憶手段に記憶しておく。そして、前記画像データを再生する場合には、記憶した撮影状況情報に基づいて、香料放出制御手段の制御により、「森」の香りをデジタルカメラ装置から放出させる。従って、画像再生時には、単なる被写体の画像以外に、その撮影時の香りもデジタルカメラ装置から放出されるので、より臨場感に富んだ画像を提供することができる。
なお、メモリカードに記憶しておいた場合に、このメモリカードを、本発明と同様の構成の別のデジタルカメラ装置に装填して再生すれば、前述と同様に、より臨場感に富んだ画像を提供できる。
【０００７】
また、請求項２では、請求項１記載のデジタルカメラ装置において、
前記香料保持手段は、複数の異なった香りの香料を保持する構成（図３の第１，第２の香料タンク３２ａ，３２ｂ）としてある。
このようにすれば、例えば「森の香り」や「バラの香り」のように、様々な撮影状況に対処可能となる。
【０００８】
また、請求項３では、請求項２記載のデジタルカメラ装置において、
前記香料放出制御手段は、複数の異なった香りの香料を同時に放出可能である構成としてある。
このようにすれば、例えば「花のある砂浜」のように、「花の香り」と「砂浜（海）の香り」といった、複数の香りを同時に放出することができる。
【０００９】
また、請求項４では、請求項１〜請求項３のいずれか一つに記載のデジタルカメラ装置において、
前記香料保持手段は、交換が可能である構成としてある。
このようにすれば、例えば香料放出手段をカートリッジ式にしておき、カートリッジが空になった場合に、香料充填済みのカートリッジと容易に交換することができる。また、特殊な香り（例えば、温泉場の香り）のカートリッジを用意しておけば、その温泉場のカートリッジに交換し、より臨場感に富んだ画像を再生できる。
【００１０】
また、請求項５では、請求項１〜請求項４のいずれか一つに記載のデジタルカメラ装置において、
前記画像データの記録時に、前記撮影状況情報に基づいて画像補正処理（図示せず）を行う構成としてある。
このようにすれば、画像補正処理により、高画質な画像を提供することができる。
【００１１】
また、請求項６では、請求項１〜請求項５のいずれか一つに記載のデジタルカメラ装置において、
前記撮影状況情報を、画像データ中に記録する構成（図示せず）としてある。
このようにすれば、撮影状況情報が画像データ中に記録してあるので、撮影状況情報を記憶する半導体メモリが不要となり、より簡素な構造のデジタルカメラ装置を提供することができる。
【００１２】
また、請求項７では、請求項１〜請求項６のいずれか一つに記載のデジタルカメラ装置によって記録された画像データを表示可能な画像表示装置であって、
該画像表示装置は、複数の香料を保持する香料保持手段（図３，図５の香料放出装置３０）と、
前記画像データの再生時に、前記撮影状況情報に基づいて選択された香料を放出する香料放出制御手段（図３，図５の香料放出装置３０）とを備えた構成としてある。
このようにすれば、請求項１の発明と同様に、画像再生時の臨場感に富んだ画像表示装置（例えば、パソコン）を提供することができる。
【００１３】
また、請求項８では、請求項７記載の画像表示装置において、
前記香料保持手段は、交換が可能である構成としてある。
このようにすれば、多様な撮影状況の再現が可能な画像表示装置を提供することができる。
【００１４】
また、請求項９では、請求項７または請求項８記載の画像表示装置を、携帯情報端末装置に搭載する構成（図示せず）としてある。
このようにすれば、請求項１の発明と同様に、画像再生時の臨場感に富んだ携帯情報端末装置（例えば、デジタルカメラを搭載した携帯電話機）を提供することができる。
【００１５】
【発明の実施の形態】
以下、本発明を図示の実施の形態に基づいて説明する。
（１）第１の実施形態
図１は本実施形態の外観斜視図であって、（Ａ）は前面側の斜視図、（Ｂ）は背面側の斜視図、図２は制御系のブロック図、図３は香料放出装置のブロック図、図４は香料放出手段の構成図である。
【００１６】
図１（Ａ），（Ｂ）に示すように、本実施形態のデジタルカメラ装置ＤＣは、直方体状の筐体１０の正面に、撮影レンズ１１と、フラッシュ１２と、ファインダ（前面）１３とを備え、筐体１０の上面にシャッタボタン１４を備える。
また、筐体１０の背面に、ファインダ（後面）１３と、デジタルカメラ装置ＤＣの電源のＯＮ／ＯＦＦを入力する電源スイッチ１５と、撮影時に被写体を表示すると共に、再生時に映像を表示する液晶モニタ１６と、撮影状況（後述），香料放出制御（後述），ズーム，連続写真，動画，スチル画像等の選択操作を行う操作ボタン１７と、撮影した画像を記録する記録媒体（メモリカード）の挿脱を行うメモリカードスロット１８と、次に説明する香料放出装置３０とを備える。
【００１７】
また、デジタルカメラ装置ＤＣの制御系は、図２に示すように、撮影レンズ１１に近接してＣＣＤ等からなる受光素子（撮像素子）１９を有し、撮影レンズ１１によって形成される撮影対象物の像を、受光素子１９によって受光する。そして、受光素子１９で受光した画像を信号処理部２１と画像処理部２２で順次信号処理，画像処理を行い、ＣＰＵ，ＲＯＭ，ＲＡＭ等からなる中央演算部２３に入力する。
中央演算部２３は処理済の画像を、液晶モニタ１６に表示したり、通信カード２４を介して他の装置（例えば、パソコン）に送信したり、図示省略のメモリカードに格納したり、次に説明する香料放出装置３０から香りを放出させる制御を行う。
【００１８】
次に、図３を参照しつつ、香料放出装置３０の構成を説明する。
図３に示すように、香料放出装置３０は、中央演算部２３からの制御により、受光素子１９が受光した画像情報に応じて香料を放出する香料放出制御部３１と、次に説明する香料放出手段４０と、第１の香料タンク３２ａと、第２の香料タンク３２ｂと、香料をデジタルカメラ装置ＤＣの背面から放出するファン３３とを備える。
【００１９】
前記香料タンク３２ａ，３２ｂは、複数のカートリッジで構成する（図では２個のみを表示しているが、実際にはさらに多くすることも可能である）。例えば、「バラの香り」の成分である、フェニルエチルアルコール，ゲラニオール，シトロネロールを含んだ香料を充填したカートリッジや、「森の臭い」の成分である、α−ピネンや青葉アルコールを含んだ香料を充填したカートリッジや、「草の香り」の成分である、ヘキサナールを含んだ香料などが充填されているカートリッジである。これらのカートリッジは交換可能であり、カートリッジを交換式とすることで、さらに異なる撮影状況の再現（例えば、温泉場の香り）に対応できるようになる。
【００２０】
前記香料放出手段４０は、図４に示すように、インクジェット方式と同様に香料をノズル４１から加圧噴射させる。即ち、例えば第１の香料タンク３２ａから供給される香料を、第１，第２のピエゾ素子４２ａ，４２ｂのひずみ力を利用してノズル４１から放出する。
【００２１】
次に、本実施形態の動作を、図１〜図４を参照しつつ説明する。
撮影に際して、ユーザは操作ボタン１７を用いて撮影状況を選択する。この撮影状況の情報には、例えば「森」や「草原」のような撮影場所の情報や、「バラ」のような被写体の情報が用意されている。これらは組み合わせて選択することもできる。ユーザは撮影状況の選択後、シャッタボタン１４を押し込むと撮影がなされる。
受光素子１９からの出力は、中央演算部２３の制御を受ける信号処理部２１によって処理され、デジタル情報に変換される。信号処理部２１によってデジタル化された画像データは、中央演算部２３の制御を受ける画像処理部２２において所定の画像処理を受けた後、半導体メモリ２５に記録される。例えば、撮影状況として「森」を選択した場合には、記録時に緑色を強調する画像補正処理を行った上で記録する。
【００２２】
また、同時に撮影状況選択情報を画像データのヘッダ部に記録を行う。このように画像データ中に状況選択情報を記録することで、半導体メモリ２５等の記録装置の簡素化が図れる。
画像の再生時には、画像データが液晶モニタ１６に送られ画像を再生するとともに、撮影状況情報を香料放出装置３０に送る。香料放出制御部３１は、撮影状況情報に基づいて必要な香料を香料放出手段４０に送るよう、制御を行う。
香料放出手段４０は、前述のように香料タンク３２ａ，３２ｂから供給される香料をピエゾ素子４２ａ，４２ｂのひずみ力を利用して、ノズル４１から放出する。すると、香料はファン３３により空中に放出される。
【００２３】
このように、液晶モニタ１６に表示された画像の撮影状況に応じた香料、例えば撮影状況が「草原」であれば草の香りを備えた香料を放出することで、従来と比べて嗅覚からも刺激を得られる。従って、再生時の臨場感に富んだデジタルカメラ装置を提供することができる。
また、例えば「花のある砂浜」のように、場所と被写体を組み合わせた複合的な状況を再現可能にするために、複数の香料を同時に放出可能とすることもできる。
さらに、本実施形態の別の効果として、操作者はデジタルカメラ装置からの芳香を感じることにより、再生モードで動作中であることに気付くことができ、誤ったモード選択を行ったために生じる撮影機会の逸失を防ぐという効果もある。即ち、例えば撮影モードに設定済みと勘違いして撮影しようとした際に、香料の放出により再生モード中であることに気付き、モードを撮影モードに変更する場合が該当する。
【００２４】
（２）第２の実施形態
本実施形態は、画像表示装置に本発明を実施した場合である。
図５は本実施形態の説明に使用する図であって、（Ａ）は画像表示装置の外観斜視図、（Ｂ）は制御系のブロック図である。
メモリカードスロット５１に装填されたメモリカード（図示省略）から読み出された画像データは、中央演算部５３の制御の下に液晶モニタ５２に送られ、画像を再生するとともに、前述のように画像データのヘッダ部に記録された撮影状況情報は香料放出装置３０に送られ、香料放出装置３０から既述の要領で撮影状況情報に応じた香料を放出する。５４は半導体メモリ、５５は通信カード、５６はキーボードである。
このようにして、画像再生時の臨場感に富んだ画像表示装置（例えば、パソコン）を提供することができる。
【００２５】
なお、前記第１，第２の実施形態では、デジタルカメラ装置，画像表示装置の場合を説明したが、本発明を携帯電話機や情報携帯端末装置（例えば、ＰＤＡ等）にも、本発明を適用可能であるのは勿論である。
【００２６】
【発明の効果】
以上説明したように本発明によれば、以下の効果を発揮することができる。
請求項１記載の発明によれば、画像再生時の臨場感に富んだデジタルカメラ装置を提供することができる。
請求項２記載の発明によれば、請求項１記載のデジタルカメラ装置において、より多様な撮影状況再現が可能なデジタルカメラ装置を提供することができる。
請求項３記載の発明によれば、請求項２に記載のデジタルカメラ装置において、複合的な撮影状況再現が可能なデジタルカメラ装置を提供することができる。
【００２７】
請求項４記載の発明によれば、請求項１〜請求項３のいずれか一つに記載のデジタルカメラ装置において、すぐれた撮影状況再現が可能なデジタルカメラ装置を提供することできる。
請求項５記載の発明によれば、請求項１〜請求項４のいずれか一つに記載のデジタルカメラ装置において、より高画質なデジタルカメラ装置を提供することができる。
請求項６記載の発明によれば、請求項１〜請求項５のいずれか一つに記載のデジタルカメラ装置において、より簡素な構造のデジタルカメラ装置を提供することができる。
【００２８】
請求項７記載の発明によれば、画像再生時の臨場感に富んだ画像表示装置を提供することができる。
請求項８記載の発明によれば、請求項７記載の画像表示装置において、多様な撮影状況再現が可能な画像表示装置を提供することができる。
請求項９記載の発明によれば、画像再生時の臨場感に富んだ携帯情報端末装置を提供することができる。
【図面の簡単な説明】
【図１】本発明の第１の実施形態の外観斜視図であって、（Ａ）は前面側の外観斜視図、（Ｂ）は背面側の外観斜視図である。
【図２】同第１の実施形態における、制御系のブロック図である。
【図３】同第１の実施形態における、香料放出装置のブロック図である。
【図４】同第１の実施形態における、香料放出手段の構成図である。
【図５】本発明の第２の実施形態を示す図であって、（Ａ）は外観斜視図、（Ｂ）は制御系のブロック図である。
【符号の説明】
ＤＣ…デジタルカメラ装置
ＧＳ…画像表示装置
１０…筐体
１１…撮影レンズ
１２…フラッシュ
１３…ファインダ
１４…シャッタボタン
１５…電源スイッチ
１６，５２…液晶モニタ
１７…操作ボタン
１８，５１…メモリカードスロット
１９…受光素子
２１…信号処理部
２２…画像処理部
２３，５３…中央演算部
２４，５５…通信カード
２５，５４…半導体メモリ
３０…香料放出装置
３１…香料放出制御部
３２ａ…第１の香料タンク
３２ｂ…第２の香料タンク
３３…ファン
４０…香料放出手段
４１…ノズル
４２ａ…第１のピエゾ素子
４２ｂ…第２のピエゾ素子
５６…キーボード
【図１】
2004040610.tif 000003
【図２】
2004040610.tif 000004
【図３】
2004040610.tif 000005
【図４】
2004040610.tif 000006
【図５】
2004040610.tif 000007